(57)【要約】【課題】アジャスタ部のスライド時に発生する音を小さくする。【解決手段】本発明に係るビームは、本体部１と、該本体部１に収納可能なアジャスタ部２とを有するビームであって、アジャスタ部２に形成される長孔４と、該長孔４に挿通され、両端が本体部１に固定されるピン５と、アジャスタ部２が本体部１に収納されている時に、ピン５が嵌り込み、ピン５を保持する保持部６ｂを有する第１ばね６とを備え、第１ばね６の保持部６ｂが長孔４の端縁部４ａとピン５との接触を防ぐ位置に設けられていることを特徴とする。【選択図】図４
2009190765.tif 000002
【特許請求の範囲】
【請求項１】
本体部と、該本体部に収納可能なアジャスタ部とを有するビームであって、
前記アジャスタ部に形成される長孔と、
該長孔に挿通され、両端が前記本体部に固定されるピンと、
前記アジャスタ部が前記本体部に収納されている時に、前記ピンが嵌り込み、前記ピンを保持する保持部を有する第１ばねとを備え、
前記第１ばねの保持部が前記長孔の端縁部と前記ピンとの接触を防ぐ位置に設けられていることを特徴とするビーム。
【請求項２】
前記アジャスタ部が前記本体部から引き出された時に、前記長孔の端縁部と前記ピンとの接触を防ぐ第２ばねが設けられていることを特徴とする請求項１記載のビーム。
【請求項３】
前記長孔の端縁部に吸音材が設けられていることを特徴とする請求項１記載のビーム。
【請求項４】
前記アジャスタ部のスライド時に、前記アジャスタ部の前記本体部に接触する部分に吸音材が設けられていることを特徴とする請求項１から３のいずれか１に記載のビーム。
【発明の詳細な説明】
【技術分野】
【０００１】
本発明は、トラックなどの車両に搭載されるコンテナ内に掛け渡されるビームに関するものである。
【背景技術】
【０００２】
下記特許文献１には、本体部と、該本体部に収納可能なアジャスタ部とを有するビームが記載されている。このビームは、アジャスタ部に形成される長孔と、該長孔に挿通され、両端が本体部に固定されるピンと、アジャスタ部が本体部に収納されている時に、ピンが嵌り込み、該ピンを保持する保持部を有するばねとを備えて構成される。
【０００３】
しかしながら、上記のビームでは、強度等を考慮して、本体部及びアジャスタ部の両方が金属製であるため、ビームの着脱時において、アジャスタ部をスライドさせた時に、アジャスタ部と本体部とが接触し、高い金属音が周辺に響き渡るという問題があった。また、アジャスタ部が本体部内に収納される時には、ピンがばねの保持部に嵌り込むが、この時、ピンが長孔の端縁部に衝突して、高い金属音を発生されるという問題もあった。さらに、アジャスタ部が本体部内から引き出される時にも、ピンが長孔の端縁部に衝突して、高い金属音を発生させるという問題があった。
【特許文献１】特開平９−２６７８９３号公報
【発明の開示】
【発明が解決しようとする課題】
【０００４】
本発明は、上記事情に鑑みなされたものであり、アジャスタ部のスライド時に発生する音を小さくすることを課題とするものである。
【課題を解決するための手段】
【０００５】
本発明は、上記課題を解決するため、以下のビームを提供する。
１．本体部と、該本体部に収納可能なアジャスタ部とを有するビームであって、前記アジャスタ部に形成される長孔と、該長孔に挿通され、両端が前記本体部に固定されるピンと、前記アジャスタ部が前記本体部に収納されている時に、前記ピンが嵌り込み、前記ピンを保持する保持部を有する第１ばねとを備え、前記第１ばねの保持部が前記長孔の端縁部と前記ピンとの接触を防ぐ位置に設けられていることを特徴とするビーム。
２．前記アジャスタ部が前記本体部から引き出された時に、前記長孔の端縁部と前記ピンとの接触を防ぐ第２ばねが設けられていることを特徴とする前記１記載のビーム。
３．前記長孔の端縁部に吸音材が設けられていることを特徴とする前記１記載のビーム。
４．前記アジャスタ部のスライド時に、前記アジャスタ部の前記本体部に接触する部分に吸音材が設けられていることを特徴とする前記１から３のいずれか１に記載のビーム。
【発明の効果】
【０００６】
前記１記載の本発明によれば、第１ばねの保持部が長孔の端縁部とピンとの接触を防ぐ位置に設けられているため、ピンが第１ばねの保持部に嵌り込んだ時に長孔の端縁部に衝突することを防ぐことができる。したがって、アジャスタ部のスライド時に発生する音を小さくすることが可能になる。
前記２記載の本発明によれば、アジャスタ部が本体部から引き出された時に、長孔の端縁部とピンとの接触を防ぐ第２ばねが設けられているため、ピンが長孔の端縁部に衝突することを防ぐことができる。したがって、アジャスタ部のスライド時に発生する音をより小さくすることが可能になる。
前記３記載の本発明によれば、長孔の端縁部に吸音材が設けられているため、吸音材によって、ピンと長孔の端縁部との直接接触を防ぐことができ、かつピンが吸音材に衝突した時に発生する音も吸収することができる。したがって、アジャスタ部のスライド時に発生する音をより小さくすることが可能になる。
前記４記載の本発明によれば、アジャスタ部の本体部に接触する部分に吸音材が設けられているため、吸音材によって、アジャスタ部と本体部との直接接触を防ぐことができ、かつアジャスタ部のスライド時に発生する音も吸収することができる。したがって、アジャスタ部のスライド時に発生する音を一層小さくすることが可能になる。
【発明を実施するための最良の形態】
【０００７】
以下、本発明の実施の形態を図面に示した実施例に従って説明する。
【実施例１】
【０００８】
図１は本発明の実施例１に係るビームを示す全体図、図２は正面図である。これらの図に示したように、本実施例に係るビームは、本体部１及びアジャスタ部２を有して構成される。
【０００９】
本体部１は、断面略四角形の金属製の管材から成る。
【００１０】
アジャスタ部２は、本体部１の両端にそれぞれ設けられる。アジャスタ部２は、図１において、本体部１の右端側に示されるように、本体部１内に収納可能であり、ビームをコンテナ内に掛け渡す時には、図１において、本体部１の左端側に示されるように、本体部１内から引き出される。
【００１１】
アジャスタ部２は、図３に示したように、２つのリップ溝形鋼の各背面部を結合させて構成される。アジャスタ部２のスライド時に、アジャスタ部２の本体部１に接触する部分、すなわち、アジャスタ部２を構成する各リップ溝形鋼の上面部２ａ、下面部２ｂ及びリップ部２ｃには、吸音材３Ａが設けられる（図２及び図３参照）。
【００１２】
吸音材３Ａは、アジャスタ部２にコーティングしたものであってもよいし、シート状のものをアジャスタ部２に接着したものであってもよい。
【００１３】
本実施例に係るビームによれば、アジャスタ部２のスライド時に、アジャスタ部２の本体部１に接触する部分に吸音材３Ａが設けられているため、吸音材３Ａによって、アジャスタ部２と本体部１との直接接触を防ぐことができ、かつアジャスタ部２のスライド時に発生する音も吸収することができる。したがって、アジャスタ部２のスライド時に発生する音を小さくすることができる。
【実施例２】
【００１４】
図４は本発明の実施例２に係るビームを示す全体図、図５は正面図である。これらの図に示したように、本実施例に係るビームは、本体部１、アジャスタ部２、長孔４、ピン５、第１ばね６及び第２ばね７を有して構成される。
【００１５】
本体部１は、断面略四角形の金属製の管材から成る。
【００１６】
アジャスタ部２は、本体部１の両端にそれぞれ設けられる。アジャスタ部２は、図４に示したように、本体部１内に収納可能であり、ビームをコンテナ内に掛け渡す時には、図６に示したように、本体部１内から引き出される。
【００１７】
アジャスタ部２には、長孔４が設けられている。長孔４は、アジャスタ部２がスライドする方向に沿って形成される。
【００１８】
ピン５は、長孔４に挿通され、両端が本体部１に固定されている。
【００１９】
第１ばね６は、基端部６ａがアジャスタ部２に固定されている。第１ばね６は、アジャスタ部２が本体部１に収納されている時に、ピン５が嵌り込み、該ピン５を保持する保持部６ｂを有する（図４参照）。第１ばね６の保持部６ｂによってピン５が保持されることにより、アジャスタ部２が本体部１内から不用意に引き出されることを防ぐことができる。
【００２０】
第１ばね６の保持部６ｂは、長孔４の端縁部４ａとピン５との接触を防ぐ位置に設けられている（図４参照）。すなわち、アジャスタ部２が本体部１内に収納される時に、ピン５が長孔４の端縁部４ａより前に保持部６ｂに当接するよう、保持部６ｂの位置が設定されている。
【００２１】
第２ばね７は、基端部７ａがアジャスタ部２に固定されている。第２ばね７は、アジャスタ部２が本体部１内から引き出された時に、長孔４の端縁部４ｂとピン５との接触を防ぐ役割を果たすものである。したがって、アジャスタ部２が本体部１内から引き出された時には、ピン５が長孔４の端縁部４ｂより前に第２ばね７に当接するよう、第２ばね７が配置される（図６参照）。
【００２２】
本実施例に係るビームによれば、第１ばね６の保持部６ｂが長孔４の端縁部４ａとピン５との接触を防ぐ位置に設けられているため、ピン５が第１ばね６の保持部６ｂに嵌り込んだ時に長孔４の端縁部４ａに衝突することを防ぐことができる。また、アジャスタ部２が本体部１から引き出された時に、長孔４の端縁部４ｂとピン５との接触を防ぐ第２ばね７が設けられているため、ピン５が長孔４の端縁部４ｂに衝突することを防ぐことができる。したがって、アジャスタ部２のスライド時に発生する音を小さくすることができる。
【００２３】
なお、本実施例に係るビームに対して、実施例１のように、吸音材３Ａを設けてもよい。この場合、アジャスタ部２のスライド時に発生する音を非常に小さくすることができる。
【実施例３】
【００２４】
図７は本発明の実施例３に係るビームを示す全体図、図８は正面図である。これらの図に示したように、本実施例に係るビームは、本体部１、アジャスタ部２、長孔４、ピン５、第１ばね６及び吸音材３Ｂを有して構成される。
【００２５】
本体部１は、断面略四角形の金属製の管材から成る。
【００２６】
アジャスタ部２は、本体部１の両端にそれぞれ設けられる。アジャスタ部２は、図７に示したように、本体部１内に収納可能であり、ビームをコンテナ内に掛け渡す時には、図９に示したように、本体部１内から引き出される。
【００２７】
アジャスタ部２には、長孔４が設けられている。長孔４は、アジャスタ部２がスライドする方向に沿って形成される。
【００２８】
ピン５は、長孔４に挿通され、両端が本体部１に固定されている。
【００２９】
第１ばね６は、基端部６ａがアジャスタ部２に固定されている。第１ばね６は、アジャスタ部２が本体部１に収納されている時に、ピン５が嵌り込み、該ピン５を保持する保持部６ｂを有する（図７参照）。第１ばね６の保持部６ｂによってピン５が保持されることにより、アジャスタ部２が本体部１内から不用意に引き出されることを防ぐことができる。
【００３０】
第１ばね６の保持部６ｂは、長孔４の端縁部４ａとピン５との接触を防ぐ位置に設けられている（図７参照）。すなわち、アジャスタ部２が本体部１内に収納される時に、ピン５が長孔４の端縁部４ａより前に保持部６ｂに当接するよう、保持部６ｂの位置が設定されている。
【００３１】
吸音材３Ｂは、長孔４の端縁部４ｂに設けられている。吸音材３Ｂは、長孔４の端縁部４ｂにコーティングしたものであってもよいし、所定形状のものを長孔４の端縁部４ｂに接着したものであってもよい。
【００３２】
本実施例に係るビームによれば、第１ばね６の保持部６ｂが長孔４の端縁部４ａとピン５との接触を防ぐ位置に設けられ、かつ長孔４の端縁部４ｂに吸音材３Ｂが設けられているため、アジャスタ部２が本体部１内に収納される時には、第１ばね６の保持部６ｂによって、ピン５が長孔４の端縁部４ａに衝突することを防ぐことができる一方、アジャスタ部２が本体部１内から引き出される時には、吸音材３Ｂによって、ピン５が長孔４の端縁部４ｂに衝突することを防ぐことができる。したがって、アジャスタ部２のスライド時に発生する音を小さくすることができる。
【００３３】
なお、本実施例に係るビームに対して、実施例１のように、吸音材３Ａを設けてもよい。この場合、アジャスタ部２のスライド時に発生する音を非常に小さくすることができる。
【図面の簡単な説明】
【００３４】
【図１】本発明の実施例１に係るビームを示す全体図である。
【図２】本発明の実施例１に係るビームを示す正面図である。
【図３】吸音材が設けられたアジャスタ部を示す正面図である。
【図４】本発明の実施例２に係るビームの全体図であって、アジャスタ部が本体部内に収納された時の状態を示す図である。
【図５】本発明の実施例２に係るビームを示す正面図である。
【図６】本発明の実施例２に係るビームの全体図であって、アジャスタ部が本体部内から引き出された時の状態を示す図である。
【図７】本発明の実施例３に係るビームの全体図であって、アジャスタ部が本体部内に収納された時の状態を示す図である。
【図８】本発明の実施例３に係るビームを示す正面図である。
【図９】本発明の実施例３に係るビームの全体図であって、アジャスタ部が本体部内から引き出された時の状態を示す図である。
【符号の説明】
【００３５】
１  本体部
２  アジャスタ部
３Ａ，３Ｂ  吸音材
４  長孔
５  ピン
６  第１ばね
６ｂ  保持部
７  第２ばね
【図１】
2009190765.tif 000003
【図２】
2009190765.tif 000004
【図３】
2009190765.tif 000005
【図４】
2009190765.tif 000006
【図５】
2009190765.tif 000007
【図６】
2009190765.tif 000008
【図７】
2009190765.tif 000009
【図８】
2009190765.tif 000010
【図９】
2009190765.tif 000011